(57)【要約】【目的】テーブルの脚柱の長さの調節に脚柱を回転させる回数が少なくてすみ、調節時間が短くてすむテーブルの高さ調節装置を提供する。【構成】テーブルの下面に固着され、雌ねじ６ａを中央に備える雌ねじ部材６を下端部に有する内側脚柱４と、内側脚柱４に外嵌され、下端部に雌ねじ部材６に螺合される上向きの雄ねじ杆１０を備える外側脚柱５と、外側脚柱５の下部に装着され、かつ雄ねじ杆１０と同軸の軸線まわりに旋回可能なキャスター２とを備えるテーブルの高さ調節装置において、雄ねじ杆１０及び雌ねじ部材６の雌ねじ６ａを、ともにピッチの荒いものとし、雄ねじ杆１０の下端部を、外側脚柱５の下端部に固着された軸受部材７に取付けるとともに、軸受部材７の下部に設けたピッチの細かい下部雌ねじ部８にキャスター２上部のピッチの細かいキャスター軸２ａを螺着する。【選択図】　　　　図２
2004135819.tif 000002
【特許請求の範囲】
【請求項１】
テーブルの下面に固着され、雌ねじを中央に備える雌ねじ部材を下端部に有する内側脚柱と、該内側脚柱に外嵌され、下端部に前記雌ねじ部材に螺合される上向きの雄ねじ杆を備える外側脚柱と、該外側脚柱の下部に装着され、かつ前記雄ねじ杆と同軸の軸線まわりに旋回可能なキャスターとを備えるテーブルの高さ調節装置において、
前記雄ねじ杆及び前記雌ねじ部材の雌ねじを、ともにピッチの荒いものとし、前記雄ねじ杆の下端部を、前記外側脚柱の下端部に固着された軸受部材に取付けるとともに、該軸受部材の下部に設けたピッチの細かい下部雌ねじ部に、前記キャスター上部のピッチの細かいキャスター軸を螺着したことを特徴とするテーブルの高さ調節装置。
【請求項２】
軸受部材の上部にピッチの荒い上部雌ねじ部を形成し、該上部雌ねじ部に雄ねじ杆の下端を螺着し、前記軸受部材の上方に設けた前記雄ねじ杆と螺合するナットを軸受部材に向かって締め込んで、前記雄ねじ杆を固着した請求項１記載のテーブルの高さ調節装置。
【請求項３】
内側脚柱の上部における、外側脚柱の上端が上下動する位置に、テーブルの高さを示す目盛りを設けた請求項１または２記載のテーブルの高さ調節装置。
【発明の詳細な説明】
【０００１】
【産業上の利用分野】
本発明は、テーブルの高さ調節装置に関する。
【０００２】
【従来の技術】
テーブルの４本の脚柱の長さを調節して天板の高さを自由に設定しうるようにしたテーブルの高さ調節装置はすでに知られている（例えば特許文献１参照）。
【０００３】
【特許文献１】
特開平１０−２１１０４６号公報（第１〜２頁、図１〜２）。
【０００４】
【発明が解決しようとする課題】
上述の従来の装置では、外側脚柱の下部から立ち上がる雄ねじ杆を内側脚柱の下端部に設けた雌ねじ筒に螺合させて、外側脚柱を回転させることにより、内側脚柱に対して外側脚柱を出入させるものであるが、雄ねじ、雌ねじのピッチが、キャスター軸用の通常の細かいピッチであるため、昇降操作に手間を要する。すなわち、キャスター軸は強く締め込むためにピッチが細かい必要があるが、このピッチの細かいキャスター軸をそのまま使うと、ピッチが細かすぎてテーブルを昇降させるのに何回も回さなければならない。このような昇降操作は４本の脚柱のすべてに行うので、調節のために時間がかかることとなる。
【０００５】
本発明は、テーブルの脚柱の長さの調節に脚柱を回転させる回数が少なくてすみ、調節時間が短くてすむテーブルの高さ調節装置を提供することを目的としている。
【０００６】
【課題を解決するための手段】
本発明によると、上記課題は、次のようにして解決される。
（１）　テーブルの下面に固着され、雌ねじを中央に備える雌ねじ部材を下端部に有する内側脚柱と、該内側脚柱に外嵌され、下端部に前記雌ねじ部材に螺合される上向きの雄ねじ杆を備える外側脚柱と、該外側脚柱の下部に装着され、かつ前記雄ねじ杆と同軸の軸線まわりに旋回可能なキャスターとを備えるテーブルの高さ調節装置において、前記雄ねじ杆及び前記雌ねじ部材の雌ねじを、ともにピッチの荒いものとし、前記雄ねじ杆の下端部を、前記外側脚柱の下端部に固着された軸受部材に取付けるとともに、該軸受部材の下部に設けたピッチの細かい下部雌ねじ部に、前記キャスター上部のピッチの細かいキャスター軸を螺着する。
【０００７】
（２）　上記（１）項において、軸受部材の上部にピッチの荒い上部雌ねじ部を形成し、該上部雌ねじ部に雄ねじ杆の下端を螺着し、前記軸受部材の上方に設けた前記雄ねじ杆と螺合するナットを軸受部材に向かって締め込んで、前記雄ねじ杆を固着する。
【０００８】
（３）　上記（１）または（２）項において、内側脚柱の上部における、外側脚柱の上端が上下動する位置に、テーブルの高さを示す目盛りを設ける。
【０００９】
【発明の実施の形態】
図１は、本発明の一実施例を備えるテーブルの斜視図、図２は、その１個の脚を縦断して示す拡大図、及び図３は、脚上部における高さ目盛りを示す拡大正面図である。
【００１０】
図１に示すように、テーブルの天板（１）の下面四隅部には、キャスター（２）付きの脚（３）が取り付けられている。
【００１１】
図２に明らかなように、脚（３）は、上端を天板（１）の下面に固着された内側脚柱（４）と、内側脚柱（４）の外側に沿ってこれを覆い、下端にキャスター（２）を取り付けた外側脚柱（５）とからなっている。
【００１２】
内側脚柱（４）は、中空の鋼管からなり、下端は床面までの中間位置で終わっている。その下端部内面には、中心にピッチの荒い雌ねじ（６ａ）を切った雌ねじ部材（６）が固着されている。
【００１３】
外側脚柱（５）は、その上端が天板（１）の下面から下方に若干離れた位置で終わり、下端部内面に軸受部材（７）が固着されている。
【００１４】
軸受部材（７）の中心軸孔（７ａ）には、その下部に、細かいピッチの雌ねじが切られており、この下部雌ねじ部（８）に、キャスター（２）のキャスター軸（２ａ）が螺合固定されている。
【００１５】
軸受部材（７）の中心軸孔（７ａ）の上部には、荒いピッチの雄ねじが切られており、この上部雌ねじ部（９）に、同じくピッチの荒い上向きの雄ねじ杆（１０）の下端部が螺入され、平ワッシャ（１１）、スプリングワッシャ（１２）及びナット（１３）により堅く締め込まれて固着されている。場合によっては、雄ねじ杆（１０）を軸受部材（７）に、例えば溶接により固着してもよい。このようにすれば、軸受部材（７）の中心軸孔（７ａ）の上部にねじを切ることも、ナットや、ワッシャなどの固着手段も不要となる。
【００１６】
雄ねじ杆（１０）は、内側脚柱（４）の下端部の雌ねじ部材（６）の中心の雌ねじ（６ａ）に螺合し、脚（３）の中間位置まで上方に延びている。
【００１７】
図３に示すように、内側脚柱（４）の上部外周面には、目盛り（１４）が施されている。外側脚柱（５）の上端が目盛り（１４）を隠すところの読取り値が、天板面の床面よりの高さ、すなわちテーブルの高さを表すようになっている。
【００１８】
【発明の効果】
請求項１記載の発明によれば、脚の高さ調整のために外側脚柱を回転させる回数が少なくなり、調整の手間、及び時間を大幅に少なくすることができる。
【００１９】
請求項２記載の発明によれば、ピッチの荒い雄ねじ杆をしっかりと軸受部材に固着させることができる。
【００２０】
請求項３記載の発明によれば、脚の長さの設定を正確かつ確実にすることができ、４本の脚の長さを容易に確実に揃えることができる。
【図面の簡単な説明】
【図１】本発明の一実施形態を備えたテーブルの一例の斜視図である。
【図２】同じく、１個の脚の一部縦断拡大図である。
【図３】同じく、１個の脚の上部の部分拡大正面図である。
【符号の説明】
（１）天板
（２）キャスター
（３）脚
（４）内側脚柱
（５）外側脚柱
（６）雌ねじ部材
（６ａ）雌ねじ
（７）軸受部材
（７ａ）中心軸孔
（８）下部雌ねじ部
（９）上部雌ねじ部
（１０）雄ねじ杆
（１１）平ワッシャ
（１２）スプリングワッシャ
（１３）ナット
（１４）目盛り
【図１】
2004135819.tif 000003
【図２】
2004135819.tif 000004
【図３】
2004135819.tif 000005